(57)【要約】【課題】テ゛ータの漏洩、コヒ゜ー、盗難、改ざん等がハッカー・クラッカーによって起きており、確実なテ゛ータ漏洩防止等がされてない。今まではＵＳＢの使用の際にネットワークに接続されたままであり、完全にハッカー等の侵入及びウイルスの侵入を防止できなかった。【解決手段】ハ゜ソコンソフトが起動された場合、ハ゜ソコンのネットワーク状況を確認し、ネットワークを切断するネットワーク切断手段と、ハ゜ソコンからＵＳＢネットワーク自動切断及び回復装置に周辺機器の認識作業が依頼されると周辺機器にアクセスし接続認識する接続認識手段と、ハ゜ソコンソフト終了時、ハ゜ソコンからＵＳＢネットワーク自動切断及び回復装置に、周辺機器の接続を取り消す作業が依頼されると、周辺機器にアクセスし接続取消する接続認識取消手段と、接続取消が確認されるとネットワークを回復するネットワーク回復手段で構成される。ネットワークを切断するので、ハッカー・クラッカー及びウイルスの侵入を確実に防止できる、簡易に設定ができる、安心度の高いセキュリティの確保ができる等の効果がある。【選択図】　　　　　図１
2004021510.tif 000002
【特許請求の範囲】
【請求項１】
特定のハ゜ソコンソフトが起動された場合、自動的にハ゜ソコンのインターネット・イントラネット等のネットワーク状況を確認し、ネットワークを切断するネットワーク切断手段と、ハ゜ソコンからＵＳＢユニットに対してＵＳＢユニットに接続されたＨＤＤ（ハート゛テ゛ィスクト゛ライフ゛）やＭＯ（光磁気テ゛ィスク）等の周辺機器の認識作業が依頼されると、ＵＳＢユニットに接続されたＨＤＤやＭＯ等の周辺機器に対してアクセスし、接続を認識する接続認識手段と、特定のハ゜ソコンソフトが終了した時に、ハ゜ソコンからＵＳＢユニットに対して、ＨＤＤやＭＯ等の周辺機器の接続を取り消す作業が依頼されると、ＵＳＢユニットに接続されたＨＤＤやＭＯ等の周辺機器に対してアクセスし、接続を取消する接続認識取消手段と、接続の取消が確認されると、インターネット・イントラネット等のネットワークを自動的に回復するネットワーク回復手段と、で構成されるＵＳＢネットワーク自動切断及び回復システム。
【請求項２】
請求項１に記載のＵＳＢユニットは、特定のハ゜ソコンソフトが起動された場合、ハ゜ソコンのインターネット・イントラネット等のネットワーク切断後、ＨＤＤやＭＯ等の周辺機器の接続認識の依頼を受ける接続認識依頼受信部と、ＨＤＤやＭＯ等の周辺機器に対してアクセスし、接続を認識する接続認識部と、特定のハ゜ソコンソフトが終了した時に、ＨＤＤやＭＯ等の周辺機器の接続認識を取り消す依頼を受ける接続認識取消依頼受信部と、ＨＤＤやＭＯ等の周辺機器に対してアクセスし、接続を取消す接続認識取消部と、で構成されるＵＳＢネットワーク自動切断及び回復装置。
【発明の詳細な説明】
【０００１】
【発明の属する技術分野】
本発明は、ＵＳＢネットワーク自動切断及び回復システム及び装置に関する。
【０００２】
【従来の技術】
最近のハ゜ソコンには、ＵＳＢ（ユニハ゛ーサルシリアルハ゛ス）ホ゜ートが標準装備されているものが多いが、ＵＳＢの普及に伴い、様々な問題もでてきている。例えば、ＵＳＢホ゜ートにＨＤＤ（ハート゛テ゛ィスクト゛ライフ゛）ＭＯ（光磁気テ゛ィスク）等を繋げている場合、そのままインターネット・イントラネット等のネットワークに繋ぐことによって、ハッカー・クラッカーの侵入を許すこととなり、テ゛ータの漏洩、コヒ゜ー、盗難、改ざん等の問題があった。また、ネットワークに繋がれているのでウイルス侵入の危険性もあった。そこで、フ゜ロテクトキーを作ることにより、ＵＳＢホ゜ートに繋いでも漏洩、コヒ゜ー、盗難、改ざんされないようにセキュリティ強化を図ってきた。特定のフ゜ロク゛ラムでフ゜ロク゛ラミンク゛インターフェース（ＡＰＩ）を利用して、稼働中にフ゜ロテクトキーに書き込まれているコート゛をチェックするものもあり、実行ファイルを暗号化してソフトウェアにフ゜ロテクトをかけるもの等もあった。最近では、実行ファイルの暗号化をするようにもなり、セキュリティはより高度なものになっている。
【０００３】
なお、文献を見てみると、以下のような文献があった。文献１は、特開２００１−１００８７５の「ＵＳＢ制御装置」であり、ＵＳＢコントローラーとＵＳＢホ゜ート間の信号を接続／切断するスイッチを設け、サスヘ゜ント゛処理の前にＵＳＢホ゜ートを切断し、リシ゛ューム処理の前に接続することでＵＳＢコントローラーやＵＳＢ機器のト゛ライハ゛ーのセーフ゛／リストア処理を介さないようにする。
【０００４】
文献２は、特開２００１−３３９５３２の「通信テ゛ハ゛イス」であり、ユニハ゛ーサルシリアスハ゛ス（ＵＳＢ）を介して得られるＵＳＢ特有の信号を検出する検出手段と、検出手段により、予め設定された時間内にＵＳＢ特有の信号が検出されないと、通信中の回線を切断する切断手段とを備える。
【０００５】
文献３は、特開２００２−６２９８７の「ハ゜ーソナル・スマート・ホ゜インティンク゛・テ゛ハ゛イス」であり、このハ゜ーソナル・スマート・ホ゜インタ・テ゛ハ゛イスはどのコンヒ゜ュータにも容易に接続し、情報の受取りと記憶、ＰＣ、モハ゛イル・コンヒ゜ュータ、セルラー電話やＰＤＡなどの他のハ゜ーヘ゛イシフ゛・テ゛ハ゛イスなどの従属装置への情報の転送を可能にすることを含む、ネットワーク・コンヒ゜ュータ類似アフ゜リケーションを容易にするためのハート゛ウェアおよびソフトウェアが供給されている。転送すべき情報としては、従属装置上のアフ゜リケーション／フ゜ロク゛ラムの使用を容易にするためにユーサ゛が自分自身のハ゜ーソナル装置上で使用するアフ゜リケーション／フ゜ロク゛ラムのハ゜ーソナル・フ゜リファレンス、特徴、カストマイス゛を含む。ハ゜ーソナル・フ゜リファレンスおよびカストマイス゛の通信は無線で実施することができる。
【０００６】
【発明が解決しようとする課題】
しかし、セキュリティがより高度化しても、ハッカー・クラッカー等により暗号が解読され、　テ゛ータの漏洩、コヒ゜ー、盗難、改ざん等が起こり、また再度セキュリティ高度化のために複雑な暗号化をするといういたちごっこが繰り返されており、確実なテ゛ータの漏洩防止、コヒ゜ー防止、盗難防止、改ざん防止がされていないのが現状である。また、今までの場合、インターネット、イントラネット等のネットワークに接続されたままであり、完全にハッカー・クラッカーの侵入を防ぐことはできなかった。また、ウイルスの侵入の問題もあった。
【０００７】
また、文献１は、サスヘ゜ント゛／リシ゛ューム処理であり、本願発明とは目的が異なり、文献２は、ＵＳＢの特定の信号を利用するものであり、本願発明とは大きく異なる。また、文献３は、他のハ゜ソコンを使用する時にユーサ゛・インタフェースのカストマイス゛を可能とするものであり、本願発明とは目的が大きく異なる。
【０００８】
【課題を解決するための手段】
本発明は、ネットワークを切断するものであり、ハッカー・クラッカー及びウイルスの侵入を確実に防止できること、簡易に設定ができること、安心度の高いセキュリティの確保ができること、等の特徴がある。
【０００９】
請求項１は、特定のハ゜ソコンソフトが起動された場合、自動的にハ゜ソコンのインターネット・イントラネット等のネットワーク状況を確認し、ネットワークを切断するネットワーク切断手段と、ハ゜ソコンからＵＳＢユニットに対してＵＳＢユニットに接続されたＨＤＤやＭＯ等の周辺機器の認識作業が依頼されると、ＵＳＢユニットに接続されたＨＤＤやＭＯ等の周辺機器に対してアクセスし、接続を認識する接続認識手段と、特定のハ゜ソコンソフトが終了した時に、ハ゜ソコンからＵＳＢユニットに対して、ＨＤＤやＭＯ等の周辺機器の接続を取り消す作業が依頼されると、ＵＳＢユニットに接続されたＨＤＤやＭＯ等の周辺機器に対してアクセスし、接続を取消する接続認識取消手段と、接続の取消が確認されると、インターネット・イントラネット等のネットワークを自動的に回復するネットワーク回復手段と、で構成されるＵＳＢネットワーク自動切断及び回復システムである。
【００１０】
本発明は、請求項１と同様の特徴があり、更に、汎用性があること、低コスト化が図れること、等の特徴がある。
【００１１】
請求項２は、請求項１に記載のＵＳＢユニットは、特定のハ゜ソコンソフトが起動された場合、ハ゜ソコンのインターネット・イントラネット等のネットワーク切断後、ＨＤＤやＭＯ等の周辺機器の接続認識の依頼を受ける接続認識依頼受信部と、ＨＤＤやＭＯ等の周辺機器に対してアクセスし、接続を認識する接続認識部と、特定のハ゜ソコンソフトが終了した時に、ＨＤＤやＭＯ等の周辺機器の接続認識を取り消す依頼を受ける接続認識取消依頼受信部と、ＨＤＤやＭＯ等の周辺機器に対してアクセスし、接続を取消す接続認識取消部と、で構成されるＵＳＢネットワーク自動切断及び回復装置である。
【００１２】
【発明の実施の形態】
現在、ハ゜ソコンにはＵＳＢホ゜ートが標準装備されているものが多く、ホ゜ートにＨＤＤやＭＯ等のテ゛ータを保存しておく場合等に使用される場合が多い。本願発明はハ゜ソコンのＵＳＢホ゜ートとＨＤＤやＭＯ等の周辺機器の接続との間に接続するシステム及び装置であり、ネットワークを自動切断及び自動回復することができる。従って、自らの手でネットワークの切断及び回復をすることがなく、手間がかからないこと、セッティンク゛が簡易であること、ネットワークとは物理的に切断されており、ハッカー・クラッカーの侵入及びウイルスの侵入を防止できること、高度なセキュリティを確保できること等の特徴がある。
【００１３】
【実施例】
本発明の一実施例を図面を基に説明する。
【００１４】
本願発明のＵＳＢネットワーク自動切断及び回復装置１は、ハ゜ソコン２に通常装備されているＵＳＢホ゜ートとハ゜ソコン２のＵＳＢホ゜ートに通常接続するＨＤＤ（ハート゛テ゛ィスクト゛ライフ゛）やＭＯ（光磁気テ゛ィスク）等の周辺機器３（以下、周辺機器３とする。）の間にＵＳＢホ゜ートと周辺機器３を繋ぐようにセットする。なお、予めハ゜ソコン２内に装置を組込むことも可能であり、また、システムとして、ハ゜ソコン内に設定することも可能である。
【００１５】
まず、ハ゜ソコンソフト（ワーフ゜ロソフト、表計算ソフト、メールソフト等）を起動すると、ハ゜ソコン２のＵＳＢト゛ライハ゛はハ゜ソコンのネットワーク状況を確認する。そこで、インターネット、イントラネット等のネットワーク（以下、ネットワークとする。）への接続が確認されると、ハ゜ソコン２とネットワークを繋ぐ回線を自動切断する。また、ネットワーク回線を自動切断した後は、接続することができないようにすることも可能であり、手動で接続可能にする、自動回復以外は接続できないようにする等、任意に設定可能である。
【００１６】
そして、ＵＳＢト゛ライハ゛からＵＳＢネットワーク切断及び回復装置１へＵＳＢネットワーク切断及び回復装置１に接続されている周辺機器３の認識作業を依頼する。ＵＳＢネットワークの切断及び回復装置１は周辺機器３に対して、認識作業のアクセスをする。認識作業により、周辺機器３の認識が終了すると、ハ゜ソコン本体と周辺機器３の接続が完了しているので、　ハ゜ソコンソフトを使用して周辺機器３からテ゛ータを引き出したり保存したりすることができるようになる。この時、ハ゜ソコン２はネットワーク接続されていないため、ＵＳＢト゛ライハ゛を通じて接続されている周辺機器３に対して、外部から侵入することができず、ハッカー・クラッカーに侵入されることなく、またウイルスの侵入も防ぐことができ、安心してハ゜ソコンソフトを使用することができる。接続不能な状態にあるので、テ゛ータの漏洩、コヒ゜ー、盗難、改ざん等されることもない。なお、特定のハ゜ソコンソフトの時だけ自動切断及び自動回復等を設定することも可能であり、また、ハ゜ソコンソフトを任意で設定することも可能である。
【００１７】
なお、ＵＳＢネットワーク自動切断及び回復装置１は、サーハ゛システムとしてサーハ゛に組込むことも可能である。
【００１８】
そして、ハ゜ソコンソフトの使用が終了すると、ＵＳＢト゛ライハ゛はＵＳＢネットワークの切断及び回復装置１に対して、周辺機器３の接続を取り消す作業を指示する。ＵＳＢネットワークの切断及び回復装置１は周辺機器の接続を解除する作業を行う。そして、接続を解除する作業を行うと、ハ゜ソコン本体のＵＳＢト゛ライハ゛は切断されたネットワークを自動的に回復する作業に入り、ネットワークを回復する。これにより、ハ゜ソコンソフトを終了させた時には自動的にネットワークに繋がるようになり、自らがネットワークに再度繋げる必要が無く、手間がかからない。ネットワークへの接続は手動でも可能であり、ハ゜ソコンソフトの使用終了後、何分後に自動回復する等のタイマー設定も可能である。　なお、イントラネットの場合には、サーハ゛からネットワーク接続を切断することも可能であり、その場合、ＬＡＮ等で繋がれた会社内等においては、通常にイントラネットの使用が可能である
【００１９】
【発明の効果】
本発明は、特定のハ゜ソコンソフトが起動された場合、自動的にハ゜ソコンのインターネット・イントラネット等のネットワーク状況を確認し、ネットワークを切断するネットワーク切断手段と、ハ゜ソコンからＵＳＢネットワーク自動切断及び回復装置に対してＨＤＤやＭＯ等の周辺機器の認識作業が依頼されると、ＵＳＢネットワーク自動切断及び回復装置に接続されたＨＤＤやＭＯ等の周辺機器に対してアクセスし接続を認識する接続認識手段と、特定のハ゜ソコンソフトが終了した時に、ハ゜ソコンからＵＳＢネットワーク自動切断及び回復装置に対して、ＨＤＤやＭＯ等の周辺機器の接続を取り消す作業が依頼されると、ＵＳＢネットワーク自動切断及び回復装置に接続されたＨＤＤやＭＯ等の周辺機器に対してアクセスし接続を取消する接続認識取消手段と、接続の取消が確認されると、自動的にインターネット・イントラネット等のネットワークを回復するネットワーク回復手段と、で構成されるＵＳＢネットワーク自動切断及び回復装置であり、ネットワークを切断するものであり、ハッカー・クラッカー及びウイルスの侵入を確実に防止できること、簡易に設定ができること、安心度の高いセキュリティの確保ができること、等の効果がある。
【００２０】
本発明は、請求項１に記載のＵＳＢユニットは、特定のハ゜ソコンソフトが起動された場合、ハ゜ソコンのインターネット・イントラネット等のネットワーク切断後、ＨＤＤやＭＯ等の周辺機器の接続認識の依頼を受ける接続認識依頼受信部と、ＨＤＤやＭＯ等の周辺機器に対してアクセスし接続を認識する接続認識部と、特定のハ゜ソコンソフトが終了した時に、ＨＤＤやＭＯ等の周辺機器の接続認識を取り消す依頼を受ける接続認識取消依頼受信部と、ＨＤＤやＭＯ等の周辺機器に対してアクセスし接続を取消す接続認識取消部と、で構成されるＵＳＢネットワーク自動切断及び回復装置であり、請求項１の効果に、更に汎用性があること、低コスト化が図れること、等の効果がある。
【図面の簡単な説明】
【図１】本発明の一実施例を表す模式図である。
【図２】（イ）本発明のインターネット、イントラネット等のネットワークに接続している状態を表すフ゛ロック図である。（ロ）本発明の起動時の状態を表すフ゛ロック図である。
【図３】本発明の一実施例の流れを表す模式図である。
【符号の説明】
１　　　　　ＵＳＢネットワーク自動切断及び回復装置
２　　　　　ハ゜ソコン
３　　　　　ＨＤＤやＭＯ等の周辺機器
【図１】
2004021510.tif 000003
【図２】
2004021510.tif 000004
【図３】
2004021510.tif 000005